(57)【特許請求の範囲】
【請求項１】
コンベヤフレームの両側上面に締付金具を介し両端を取り付ける並列二本一組の座材と、この座材の両端部間に起立状に配置する金属板の倒立Ｕ字状曲げ加工のサイドスタンドと、上記座材の中央部分に起立状に配置する金属板の倒立Ｖ字状曲げ加工の対のインスタンドとからなり、上記座材の起立面と上記サイドスタンド及びインスタンドの下端で上記並列座材配置側との対向面に嵌め込みによる係合関係により離脱を防止し、かつ起立姿勢を維持するような一方に孔や穴の係合部と、他方に突起の係合部を設け、また、上記サイドスタンドの上端及びインスタンドの上端から下方に向けサイドローラ及びセンターローラの回転支軸の外端にその軸線に対して互いに平行に切り落として設けてある切欠き溝の落とし込み係合の切欠きを設けたことを特徴とするベルトコンベヤ用キャリヤスタンド。
【請求項２】
前記座材の片方からもう片方に挿入された支軸をサイドスタンドの下端に貫通して上記サイドスタンドを回動自在にし、この支軸に締付手段を設けたことを特徴とする請求項１に記載のコンベヤ用キャリヤスタンド。
【請求項３】
前記インスタンドの切欠きに、両端にその軸線に対して互いに平行に切り落として設けてある切欠き溝を落とし込み係合して補助軸を横架し、この補助軸の両端部からベルトの側縁に沿う方向に突出する水平な不回転のアームを設け、この両アームの突出方向端上縁から下方に向けて設けてある切欠きにセンターローラの回転支軸の両端切欠き溝を落とし込み係合したことを特徴とする請求項１に記載のコンベヤ用キャリヤスタンド。
【請求項４】
前記インスタンドの切欠きに、両端にその軸線に対して互いに平行に切り落として設けてある切欠き溝を落とし込み係合して補助軸を横架し、この補助軸の両端に不回転状に設けてある支持部材にアームの末端を回動自在に取り付け、この両アームの先端に上縁から下方に向け設けてある切欠きにセンターローラの回転支軸の両端切欠き溝を落とし込み係合し、上記支持部材に上記センターローラとベルトとを接触状態とする起立姿勢の上記アームが倒れ方向へ回動するのを阻止するストッパ装置を設けたことを特徴とする請求項１に記載のベルトコンベヤ用キャリヤスタンド。
【請求項５】
前記サイドスタンドの上端サイドローラの回転支軸の上側に上記回転支軸の浮き上がり防止手段を抜き差し自在に設けたことを特徴とする請求項１に記載のベルトコンベヤ用キャリヤスタンド。
【請求項６】
座材と、この座材の両端部から起立するサイドスタンドと、上記座材の中央部から対向状に起立する対のインスタンドと、このインスタンド及びサイドスタンドの上端から下方に向けて設けた切欠きと、上記サイドスタンドとインスタンドの切欠き及び両インスタンドの切欠きに回転支軸の両端にその軸線に対して互いに平行に切り落として設けてある切欠き溝を落とし込み係合して軸承したサイドローラ及びセンターローラとで構成したキャリヤスタンドに於いて、コンベヤフレームの両側上面に脚座を設けて、この脚座に上記キャリヤスタンドの座材の両端を水平な支軸を介し前記キャリヤスタンドベルト走行方向に起伏自在に取り付け、上記支軸の付近に上記キャリヤスタンドの起立姿勢維持と、起立姿勢維持の解除が可能な制御手段を設けたことを特徴とするベルトコンベヤ用キャリヤスタンド。
【発明の詳細な説明】
【技術分野】
【０００１】
この発明は、ベルトコンベヤ用のキャリヤスタンドで、分解、組立式キャリヤスタンドに関する。
【背景技術】
【０００２】
ベルトコンベヤのベルトを支承するローラの受架キャリヤスタンドは、コンベヤフレームの両側上面に両端を取り付けた点在的配置の各水平なバー材と、このバー材の両端に設けた起立するサイドスタンドと、上記バー材の中央部に対向させて設けたインスタンドとからなり、サイドスタンド及びインスタンドの上端面から下方に向け設けてあるＵ字状の軸受け切欠きにサイドローラ及びセンターローラの回転支軸の両端にその軸線に対して互いに平行に切り落として設けてある切欠き溝を嵌め込みにより係合させながら軸承する（例えば、特許文献１及び特許文献２参照）。
【０００３】
また、キャリヤスタンドを傾倒させてローラを交換することができるようにしたものがある（例えば、特許文献３参照）。
【先行技術文献】
【特許文献】
【０００４】
【特許文献１】実公平７−３２４８７号公報
【特許文献２】特許第２６７２０７５号公報
【特許文献３】特開平１１−１８９３１９号公報
【発明の概要】
【発明が解決しようとする課題】
【０００５】
ところで、特許文献１及び２のバー材から起立する各インスタンド及びサイドスタンドは、バー材の上面に対しインスタンド及びサイドスタンドの下端を溶接により固着している。
【０００６】
このような構成によると、溶接ビードの不揃いや歪みにより不良品の発生原因になり、またスパッタ付着除去作業が必要になる以外に、稼働中にベルトに突き刺さった鉄片や棒材がスタンドに接触するなどの影響によりスタンドが曲がると、影響を受けたスタンドのみを取りかえることができないため、全体のキャリヤスタンドの取り替えが必要になる。
【０００７】
このため、大幅なコストアップになる問題が発生した。
勿論、部分腐蝕した箇所の交換ができない不都合もある。
【０００８】
特に、出荷前の荷姿は、バー材に対し各スタンドを溶接により固着してあるので、嵩張ると共に、格納に広い場所を必要とする問題もあった。
【０００９】
また、インスタンド及びサイドスタンドで軸承した三本のローラは、平面で直列状にならぶ。
【００１０】
すると、サイドローラとセンターローラとの対向端面間に間隙ができ、この間隙にベルトが食い込むトラブルが発生する問題もあった。
【００１１】
さらに、特許文献３のキャリヤスタンドの傾倒方式によると、キャリヤスタンドを構成する横棒の一端一側縁とフレーム取付板とが蝶番構造を介し取り付けられる。
【００１２】
すると、キャリヤスタンドの起伏（傾倒）は、蝶番構造の配置側、すなわちコンベヤの図示低所側にのみで、ストッパの配置側のみに限定される。
【００１３】
このため、ローラの交換にともなう作業者の交換作業位置がストッパ側で待機しなければならない制約を受ける問題があった。
【００１４】
この問題は、ストッパ配置反対側で待機すると、ストッパの反対方向にキャリヤスタンドを傾倒させることができないためにある。
【課題を解決するための手段】
【００１５】
この発明は、キャリヤスタンドを分解、組立方式にし、また軸承したサイドローラとセンターローラとの配列を平面上で千鳥状にした方式や、ベルトの走行方向及び走行方向の反対方向にキャリヤスタンドを傾倒させる方式を採用して、上述の問題を解消する。
【００１６】
即ち、請求項１の発明は、コンベヤフレームの両側上面に締付金具を介し両端を取り付ける並列二本一組の座材と、この座材の両端部間に起立状に配置する金属板の倒立Ｕ字状曲げ加工のサイドスタンドと、上記座材の中央部分に起立状に配置する金属板の倒立Ｖ字状曲げ加工の対のインスタンドとからなり、上記座材の起立面と上記サイドスタンド及びインスタンドの下端で上記並列座材配置側との対向面に嵌め込みによる係合関係により離脱を防止し、かつ起立姿勢を維持するような一方に孔や穴の係合部と、他方に突起の係合部を設け、また、上記サイドスタンドの上端及びインスタンドの上端から下方に向けサイドローラ及びセンターローラの回転支軸の外端にその軸線に対して互いに平行に切り落として設けてある切欠き溝の落とし込み係合の切欠きを設けたベルトコンベヤ用キャリヤスタンドである。
【００１７】
請求項２の発明は、前記請求項１に記載のコンベヤ用キャリヤスタンドにおいて、前記座材の片方からもう片方に挿入された支軸をサイドスタンドの下端に貫通して上記サイドスタンドを外側方向に回動自在にし、この支軸に締付手段を設けた構成を採用したものである。
【００１８】
請求項３の発明は、前記請求項１に記載のコンベヤ用キャリヤスタンドにおいて、前記インスタンドの切欠きに、両端にその軸線に対して互いに平行に切り落として設けてある切欠き溝を落とし込み係合して補助軸を横架し、この補助軸の両端部からベルトの側縁に沿う方向に突出する水平な不回転のアームを設け、この両アームの突出方向端上縁から下方に向けて設けてある切欠きにセンターローラの回転支軸の両端切欠き溝を落とし込み係合した構成を採用したものである。
【００１９】
請求項４の発明は、前記請求項１に記載のコンベヤ用キャリヤスタンドにおいて、前記インスタンドの切欠きに、両端にその軸線に対して互いに平行に切り落として設けてある切欠き溝を落とし込み係合して補助軸を横架し、この補助軸の両端に不回転状に設けてある支持部材にアームの末端を回動自在に取り付け、この両アームの先端に上縁から下方に向け設けてある切欠きにセンターローラの回転支軸の両端切欠き溝を落とし込み係合し、上記支持部材に上記センターローラとベルトとを接触状態とする起立姿勢の上記アームが倒れ方向へ回動するのを阻止するストッパ装置を設けた構成を採用したものである。
【００２０】
請求項５の発明は、前記請求項１に記載のコンベヤ用キャリヤスタンドにおいて、前記サイドスタンドの上端サイドローラの回転支軸の上側に上記回転支軸の浮き上がり防止手段を抜き差し自在に設けた構成を採用したものである。
【００２１】
請求項６の発明は、座材と、この座材の両端部から起立するサイドスタンドと、上記座材の中央部から対向状に起立する対のインスタンドと、このインスタンド及びサイドスタンドの上端から下方に向けて設けた切欠きと、上記サイドスタンドとインスタンドの切欠き及び両インスタンドの切欠きに回転支軸の両端にその軸線に対して互いに平行に切り落として設けてある切欠き溝を落とし込み係合して軸承したサイドローラ及びセンターローラとで構成したキャリヤスタンドに於いて、コンベヤフレームの両側上面に脚座を設けて、この脚座に上記キャリヤスタンドの座材の両端を水平な支軸を介し前記キャリヤスタンドベルト走行方向に起伏自在に取り付け、上記支軸の付近に上記キャリヤスタンドの起立姿勢維持と、起立姿勢維持の解除が可能な制御手段を設けたベルトコンベヤ用キャリヤスタンドである。
【発明の効果】
【００２２】
この発明のベルトコンベヤ用のキャリヤスタンドによれば、コンベヤフレームの両側上面に取り付ける並列二本一組の座材の係合部に配置するサイドスタンド及びインスタンドの係合部とを嵌め込みにより係合関係にすると共に、係合関係によってサイドスタンド及びインスタンドの安定した起立姿勢を維持しながらサイドローラ及びセンターローラを架設するようにしてあるので、手間のかかる溶接作業や溶接による溶接ビードの不揃いや歪みの発生による不都合及び付着スパッタの除去作業が不要になると共に、不都合の発生したスタンドのみの交換が極めて容易になるので、溶接による固着方式と異なり全部のスタンドの撤去が解消でき、特に組立・分解方式を採用したため、パーツの状態で納入でき、かつ嵩低くなるため広い在庫保管場所を必要としないと共に、輸送費などの大幅な低減をはかることができる。
【００２３】
また、座材に対しサイドスタンドを締付手段を緩めて倒すことができるようにしてあるので、サイドローラの交換作業が極めてスムーズにでき、架設作業が容易になる。
【００２４】
さらに、インスタンドに補助軸を横架して、この補助軸の両アーム間にセンターローラを架設することで、サイドローラ及びセンターローラの配置を平面上で千鳥状にすることができる。
【００２５】
このため、平面上でサイドローラ及びセンターローラが直線に配置されるために発生したローラ端間にベルトが食い込み状となる原因をなくすることができ、その結果、ローラ端によるベルトの磨耗などによるベルトの耐久性が著しく低下するなどの問題をなくすることができると共に、アームの間隔を大きくすることで、サイドローラの端とセンターローラの端をオーバーラップさせる架設もできる。
【００２６】
また、ストッパ装置によるアームの水平姿勢の停止を解除してアームを倒すことができるので、アーム間に架設してあるセンターローラの交換作業が極めて容易に行うこともできる。
【００２７】
さらに、サイドスタンドの上端にサイドローラの回転支軸の浮き上がり防止手段を設けてあるので、例えばベルトの蛇行などによるサイドローラの回転支軸の外端の浮き上がりを止めて、切欠きと切欠き溝との安定した係合関係を維持することができる。
【００２８】
さらに、組み立てた各ローラの架設ずみサイドスタンド及びインスタンドと共に座材を、起伏阻止手段による倒れ阻止を解除して倒すことができるようにしてあるので、サイドローラ及びセンターローラの架設や交換作業が極めてスムーズになる。
【００２９】
特にこの発明のキャリヤスタンドをベルトコンベヤ装置に用いることで、ローラの交換作業の迅速化と共に、ベルトの保護、延命にすぐれた効果を発揮する。
【図面の簡単な説明】
【００３０】
【図１】図１は、第１の実施形態を示すサイドスタンドの部分の分解斜視図である。
【図２】図２は、同インスタンドの部分の分解斜視図である。
【図３】図３は、組み立てた状態を示す正面図である。
【図４】図４は、同上の縦断拡大側面図である。
【図５】図５は、第２の実施形態の正面図である。
【図６】図６は、同上の要部を示す縦断側面図である。
【図７】図７は、サイドスタンドを傾倒させた正面図である。
【図８】図８は、第３の実施形態を示す分解正面図である。
【図９】図９は、センターローラをセットした平面図である。
【図１０】図１０は、センターローラの他の例を示す平面図である。
【図１１】図１１は、同上の正面図である。
【図１２】図１２は、サイドローラ及びセンターローラを直列状に並べた正面図である。
【図１３】図１３は、第４の実施形態を示す平面図である。
【図１４】図１４は、同上の要部を示す一部切欠拡大平面図である。
【図１５】図１５は、同縦断側面図である。
【図１６】図１６は、傾倒した状態を示す縦断側面図である。
【図１７】図１７は、第５の実施形態を示す側面図である。
【図１８】図１８は、同縦断側面図である。
【図１９】図１９は、同横断平面図である。
【図２０】図２０は、第６の実施形態を示す正面図である。
【図２１】図２１は、同上の要部を示す一部切欠拡大正面図である。
【図２２】図２２は、同縦断側面図である。
【図２３】図２３は、同上の傾倒状態を示す縦断側面図である。
【発明を実施するための形態】
【００３１】
次にこの発明の実施の形態を添付図面に基づいて説明する。
【００３２】
この発明の第１の実施形態では、図１から図４に示すように、コンベヤフレーム１の両側上面に締付金具２を介し二本一組の並列する座材３，３の両端を取り付ける。
【００３３】
上記並列する座材３，３は、架設する左右一対のサイドローラ４及びセンターローラ５の配置位置（前後に所定の間隔を存して並べる）に点在的に設け、座材３，３には、図示の場合アングル材を寸断して用い、コンベヤフレーム１の両側上面にアングルの水平壁を載置して、コンベヤフレーム１の透孔６と座材３の水平壁に設けてある透孔７とに締付金具２のボルトを挿通したのち、締付金具２のボルトに締付金具２のナットをねじ込んで取り付けている。
【００３４】
その際、透孔７を左右方向に長い長孔として、取り付けに際し若干移動させることができるようにする。
【００３５】
８は金属板の倒立Ｕ字状の曲げ加工により形成し左右一対のサイドスタンドである。
９は金属板の倒立Ｖ字状の曲げ加工により形成した左右一対のインスタンドである。
【００３６】
また、座材３，３の両端部のサイドスタンド８を配置する位置と、座材３，３のインスタンド９を配置する位置には、座材３の垂直面とサイドスタンド８及びインスタンド９のベルトＡの長手方向両側下端面（対向面）に嵌め込みによる係合関係により離脱を防止し、かつ起立姿勢を維持するような一方に孔や穴の係合部１０と、他方に突起の係合部１１とが設けてある。
【００３７】
上記の係合部１０は、縦方向の長孔にしてあり、この長孔の係合部１０にサイドスタンド８及びインスタンド９の両側下部にコ字状の切欠き１２を打ち抜いて落とすことで、切欠き１２の下側に板厚の突起の係合部１１を形成した。
【００３８】
勿論、孔や穴の係合部１０は、図示の打ち抜いた孔に限定されず、プレス成形の穴であってもよい。
【００３９】
さらに、周知のように、サイドスタンド８及びインスタンド９の上端には、サイドローラ４及びセンターローラ５の回転支軸１３の両端にその軸線に対して互いに平行に切り落として設けてある切欠き溝１４の落とし込み係合の切欠き１５が（サイドスタンド８の場合は、上面から内側面に、インスタンド９の場合は、上面から内側面と外側面との両面に）設けてある。
【００４０】
上記のように構成すると、コンベヤフレーム１の内側上面に並列二本一組の座材３，３
の両端を締付金具２を介して取り付ける。
【００４１】
その際、一方の座材３の両端を締付金具２の締め付けにより固定し、他方の座材３の両端の締付金具２は緩めておき、座材３のスベリ移動が可能な状態にしておく。
【００４２】
次いで、締付金具２による締付固定側の座材３のそれぞれの係合部１０に、サイドスタンド８及びインスタンド９の片側の各係合部１１を嵌め込んで係合したのち、上記固定側座材３の方向に締付金具２の緩い締付側座材３をスライドさせながら、スライドさせた座材３のそれぞれの係合部１０にサイドスタンド８及びインスタンド９の残る片側の各係合部１１を嵌め込み係合させる。
【００４３】
次いで、上記の係合関係を維持しつつ緩めてある締付金具２の締め付けにより座材３の両端を固定する。
【００４４】
すると、座材３，３に対しサイドスタンド８及びインスタンド９を立設させることができる。
【００４５】
その後に、対向するサイドスタンド８とインスタンド９の切欠き１５に、また対向するインスタンド９の切欠き１５にサイドローラ４及びセンターローラ５の回転支軸１３の切欠き溝１４を落とし込み係合させて、サイドローラ４及びセンターローラ５を軸承する。
【００４６】
すると、座材３に対しサイドスタンド８やインスタンド９を溶接により固定することなく、組立方式により取り付けることができる。
【００４７】
この発明の第２の実施形態によれば、図１，図５，６に示すように、第１の実施形態と同様のコンベヤフレーム１の両側上面に並列座材３，３の両端を締付金具２を介し固定し、並列座材３，３の係合部１０にサイドスタンド８及びインスタンド９の両側係合部１１を係合関係にしてサイドスタンド８及びインスタンド９を起立させた状況下において、一方の座材３の透孔２１からサイドスタンド８の下端の透孔２２をもへてもう一方の座材３の透孔２１に支軸２３を挿入して、支軸２３を支点としてサイドスタンド８を起伏回動可能にする。
【００４８】
そして、支軸２３に抜け止めを目的とする締付手段２４を設けておく。
上記の支軸２３は、一端に頭部２５を設けて抜け止めとし、締付手段２４は、支軸２３の他端ネジ部と、このネジ部にはねじ込むナットとで構成したが、その他の構成により目的を達成するようにしてもよい。
【００４９】
なお、サイドスタンド８の下端の透孔２２は、サイドスタンド８の下端両側間に嵌め込んで溶接により固定した板状体２６に設けた。
【００５０】
上記のように構成すると、サイドローラ４の不良（回転の不都合や腐食などにともない）により交換を必要とする場合、締付手段２４の締め付けを緩めて、両座材３，３の引き寄せを解除しながら、両座材３，３の係合部１０からサイドスタンド８の係合部１１を脱出させて両係合部１０，１１の係合関係を解除することができるので、図７に示すように外側側方にサイドスタンド８を支軸２３を支点として倒す（図７の鎖線位置から実線位置に）ことができる。
【００５１】
このとき、サイドスタンド８の倒す前に、サイドローラ４の外側端を図７鎖線状態から実線状態の位置迄引き上げて、切欠き１５から切欠き溝１４を脱出させておく。
すると、サイドローラ４及びセンターローラ５の交換作業が極めて容易になる。
【００５２】
なお、サイドスタンド８を倒した際、図７に示すように座材３の垂直壁上端と切欠き１２の上位端とが衝突するようにしておくことで、一定の角度から倒れ止めのストッパの役目をする。
【００５３】
この発明の第３の実施形態では、図８から図１１に示すように、補助軸３２の両端にその軸線に対して互いに平行に切り落として切欠き溝３１を設け、この補助軸３２の両端部から不回転状態でベルトＡの側縁に平行して突出する対のアーム３３を設け、この両アーム３３の先端に上縁から下方に向けセンターローラ５の回転支軸１３の切欠き溝１４を係合状態に嵌め込む切欠き３４を設ける。
【００５４】
上記のように構成すると、第１の実施形態のベルトコンベヤ用のキャリヤスタンドのインスタンド９，９の切欠き１５に補助軸３２の両端の切欠き溝３１を落とし込み係合して、補助軸３２を架設する。
【００５５】
次いで、両アーム３３の切欠き３４にセンターローラ５’の回転支軸１３の切欠き溝１４を落とし込み係合させてセンターローラ５’を軸承する。
【００５６】
すると、サイドローラ４とセンターローラ５’との平面上での配列が図１０に示すように千鳥状になる。
【００５７】
このため、従来のようにサイドローラとセンターローラとが平面上に直列状に並ぶために発生したサイドローラとセンターローラとの対向端の間隙によりセンターローラとサイドローラとの端縁間に図１２に示すようにベルトがふくらみ状に食い込んで発生した問題をなくすることができる。
【００５８】
なお、アーム３３，３３を図１０，１１に示すように、途中から先端迄の間の対向間隔を大きくしておくと、軸長の長いセンターローラ５’を架設することができる。
【００５９】
上記補助軸３２に対する両アーム３３の不回転状態に設ける手段としては、図示の場合（図１０参照）、溶接により固着させてある。
【００６０】
なお、インスタンド９，９に第１の実施形態のセンターローラ５が存在する場合、センターローラ５を撤去すればよい。
【００６１】
この発明の第４の実施形態では、図１３から図１５に示すように両端に第３の実施形態と同様の切欠き溝３１を有する補助軸４１の両端部に並列二本一組のアーム４２の末端を回動自在に取り付ける。
【００６２】
上記アーム４２に回動自在な取り付けとしては、アーム４２の末端の透孔４３に補助軸４１を貫通させる。
【００６３】
なお、アーム４２を図示の二本並列させて設ける以外に、末端が平面コ字状に連結された或いは並列二本のアーム４２の末端部同士を平面Ｈ字状に連結された（いずれも図示省略）ものであってもよい。
【００６４】
また、両アーム４２の先端上縁から下方にセンターローラ５の回転支軸１３の突出端に第１の実施形態と同様に設けてある切欠き溝１４の落とし込み係合する第３の実施形態と同様の切欠き４４が設けてある。
【００６５】
なお、図示のように、両アーム４２の途中から先端迄の対向間隔を末端側の対向間隔を
大きくすることで、軸長の長いセンターローラ５’を架設することができる。
勿論、限定されない。
【００６６】
さらに、補助軸４１の端部に溶接などにより補助軸４１に対し不回転の支持部材４５を設けると共に、この支持部材４５には、架設したセンターローラ５とベルトＡとを接触状態とする起立姿勢のアーム４２が倒れ方向へ回動するのを阻止するストッパ装置Ｂが設けてある。
【００６７】
上記のストッパ装置Ｂとしては、例えば図示の場合、支持部材４５に支持させた筒状体４６と、この筒状体４６に嵌入したピン４７と、このピン４７に突出力を付与するバネ４８と、このピン４７の末端に取り付けたピン４７の引き戻し操作部材４９と、アーム４２の末端にベルトＡとセンターローラ５’との接触をはかるように起立方向に回動させた際ピン４７が貫通するように設けた孔５０とで構成したが、限定されずその他の構成により目的を達成することもできる。
【００６８】
上記のように構成すると、アーム４２の倒方向の傾倒をストッパ装置Ｂにより阻止して、センターローラ５’によりベルトＡを支承する。
【００６９】
何らかの影響によりセンターローラ５’の交換を必要とする場合、ストッパ装置Ｂによるアーム４２の傾倒阻止を解除して図１６に示すようにアーム４２を傾倒させる。
【００７０】
すると、ベルトＡの下面からセンターローラ５’が大きく遊離して、センターローラ５’の交換作業がスムーズに行うことができる。
【００７１】
この発明の第５の実施形態では、図１７から図１９に示すように、第１，２，３及び４の実施形態のサイドスタンド８の上端回転支軸１３の上側には、抜き差し自在で回転支軸１３の浮き上がり防止手段Ｃが設けてある。
【００７２】
上記浮き上がり防止手段Ｃは、図示の場合サイドスタンド８の反転屈曲部の内側で、サイドスタンド８の上端と回転支軸１３の上側空隙一端から他端に挿入したボルト６１と、このボルト６１の先端からねじ込むナット６２とで構成してある。
【００７３】
なお、ボルト６１の外側に図示のように例えば軟質合成樹脂製のチューブ６３を嵌装しておくと、金属製の回転支軸１３とボルト６１との接触による不都合をなくすることができる。
【００７４】
上記のように構成することで、切欠き１５から回転支軸１３の脱出を浮き上がり防止手段Ｃにより阻止する。
【００７５】
この発明の第６の実施形態では、図２０から図２２に示すように、座材３と、この座材３の両端部から起立するサイドスタンド８，８と、座材３の中央部から起立する対のインスタンド９，９と、このサイドスタンド８の上端から下方に、インスタンド９の上端から両側面下方に向け設けた切欠き１５と、サイドローラ４及びセンターローラ５の回転支軸１３の両端にその軸線に対して互いに平行に切り落として設けた切欠き溝１４とからなり、切欠き１５に切欠き溝１４を落とし込み係合してサイドローラ４及びセンターローラ５を軸承してベルトコンベヤ用のキャリヤスタンドＥを形成する。
【００７６】
上記座材３に対するサイドスタンド８及びインスタンド９の起立は、第１の実施形態の組立・分解方式を採用したが、限定されない。
【００７７】
そして、組立方式の構成及び組み立ては、第１の実施形態と同様につき詳細な説明を省略する。
【００７８】
なお、組み立て後に、並列座材３，３の離反を阻止して、係合部１０，１１の係合関係維持のため、一方の座材３から他方の座材３に少なくとも二本の（座材３の両端部に）ボルト７１を貫通させて、ボルト７１にナット７２をねじ込んでおく。
【００７９】
また、コンベヤフレーム１の両側上面のキャリヤスタンドＥ配置位置に脚座７３を設ける。
【００８０】
上記の脚座７３は、Ｌ形板を用いて、コンベヤフレーム１上に脚座７３の水平板を重ねたのち、ボルトとナットからなる締付具７４を介し固定する。
【００８１】
この脚座７３に水平の支軸７５を介し座材３の両端を回動自在に取り付けてベルトＡの長手前後方向にキャリヤスタンドＥが起伏できるようにしてある。
【００８２】
上記の支軸７５は、脚座７３の垂直板から座材３，３の両端間に介在して、溶接などで座材３に側縁を固定した板状体７６に貫通させて、支軸７５のボルトにナットをねじ込んである。
【００８３】
さらに、支軸７５の付近には、キャリヤスタンドＥの起立した姿勢維持と、起立姿勢維持の解除ができる制御手段Ｆが設けてある。
【００８４】
上記の制御手段Ｆは、図示の場合、支軸７５の前後で座材３の取り付け締付具７４，７４のボルトの嵌入平面Ｕ字状の欠除部８１を有するスペーサ８２を座材３の下面と脚座７３の水平板との間に押し込んで、締付具７４を締め付けるようにしたが、限定されず、目的を達成する他の構成を採用することもある。
【００８５】
上記のように構成すると、制御手段Ｆにより（介在するスペーサ８２を介在して）キャリヤスタンドＥの起立姿勢を維持することで、ベルトＡとサイドローラ４及びセンターローラ５の接触ができ、制御手段Ｆによる解除（スペーサ８２を撤去することによる）をはかると、ベルトＡの長手方向に（図２３に示すように）キャリヤスタンドＥを倒すことができる。
【００８６】
このため、サイドローラ４やセンターローラ５の交換作業が極めて容易になると共に、キャリヤスタンドＥをベルトＡの走行方向や走行方向の反対側にも傾倒することができるため、ローラの交換作業が容易になる。
【符号の説明】
【００８７】
Ａ  ベルト
Ｂ  ストッパ装置
Ｃ  浮き上がり防止手段
Ｅ  キャリヤスタンド
Ｆ  制御手段
１  フレーム
２  締付金具
３  座材
４  サイドローラ
５，５’  センターローラ
６  透孔
７  透孔
８  サイドスタンド
９  インスタンド
１０  係合部
１１  係合部
１２  切欠き
１３  回転支軸
１４  切欠き溝
１５  切欠き
２１  透孔
２２  透孔
２３  支軸
２４  締付手段
２５  頭部
２６  板状体
３１  切欠き溝
３２  補助軸
３３  アーム
３４  切欠き
４１  補助軸
４２  アーム
４３  透孔
４４  切欠き
４５  支持部材
４６  筒状体
４７  ピン
４８  バネ
４９  操作部材
５０  孔
６１  ボルト
６２  ナット
６３  チューブ
７１  ボルト
７２  ナット
７３  脚座
７４  締付具
７５  支軸
７６  板状体
８１  切欠き
８２  スペーサ
【図１】
0005451200.tif 000002
【図２】
0005451200.tif 000003
【図３】
0005451200.tif 000004
【図４】
0005451200.tif 000005
【図５】
0005451200.tif 000006
【図６】
0005451200.tif 000007
【図７】
0005451200.tif 000008
【図８】
0005451200.tif 000009
【図９】
0005451200.tif 000010
【図１０】
0005451200.tif 000011
【図１１】
0005451200.tif 000012
【図１２】
0005451200.tif 000013
【図１３】
0005451200.tif 000014
【図１４】
0005451200.tif 000015
【図１５】
0005451200.tif 000016
【図１６】
0005451200.tif 000017
【図１７】
0005451200.tif 000018
【図１８】
0005451200.tif 000019
【図１９】
0005451200.tif 000020
【図２０】
0005451200.tif 000021
【図２１】
0005451200.tif 000022
【図２２】
0005451200.tif 000023
【図２３】
0005451200.tif 000024